(57)【特許請求の範囲】
【請求項１】
太陽光パネル及び屋根材が敷設された太陽光発電屋根であって、
敷設された前記太陽光パネルの表面の高さは、敷設された前記屋根材の表面の高さと異なり、
屋根面の傾斜方向に延びるとともに該屋根面に固定され、前記太陽光パネルを支持する複数の太陽光パネル用縦桟と、
ケラバに沿って延びるとともに、該ケラバに隣接する前記太陽光パネル用縦桟に固定され、前記太陽光パネルのケラバ側端部を覆う第１ケラバ化粧材と、
前記屋根面の傾斜方向に延びるとともに該屋根面に固定され、前記屋根材を支持する複数の屋根材用縦桟と、
ケラバに沿って延びるとともに、該ケラバに隣接する前記屋根材用縦桟に固定され、前記屋根材のケラバ側端部を覆う第２ケラバ化粧材と、を備え、
前記第１ケラバ化粧材と前記第２ケラバ化粧材は、少なくとも外側側面の形状が同一であり、
前記屋根材用縦桟は、
前記屋根材のケラバ側端部における下面に配置される下面部と、
前記屋根材の前記ケラバ側端部の外側に配置され、前記下面部から立ち上がる立上がり部と、
前記立上がり部の上端から屋根材側に延出する上面部と、を有し、
前記屋根材の前記ケラバ側の端部が、前記下面部及び前記上面部の間に挿入される、太陽光発電屋根。
【請求項２】
太陽光パネル及び屋根材が敷設された太陽光発電屋根であって、
屋根面の傾斜方向に延びるとともに該屋根面に固定され、前記太陽光パネルを支持する複数の太陽光パネル用縦桟と、
ケラバに沿って延びるとともに、該ケラバに隣接する前記太陽光パネル用縦桟に固定され、前記太陽光パネルのケラバ側端部を覆う第１ケラバ化粧材と、
前記屋根面の傾斜方向に延びるとともに該屋根面に固定され、前記屋根材を支持する複数の屋根材用縦桟と、
ケラバに沿って延びるとともに、該ケラバに隣接する前記屋根材用縦桟に固定され、前記屋根材のケラバ側端部を覆う第２ケラバ化粧材と、を備え、
前記第１ケラバ化粧材と前記第２ケラバ化粧材は、少なくとも外側側面の形状が同一であり、
前記屋根材用縦桟は、
前記屋根材のケラバ側端部における下面に配置される下面部と、
前記屋根材の前記ケラバ側端部の外側に配置され、前記下面部から立ち上がる立上がり部と、
前記立上がり部の上端から屋根材側に延出する上面部と、
前記下面部における前記ケラバ側端部から前記屋根材側へ所定距離離間するとともに、前記下面部から立ち上がるリブ部と、を有し、
前記屋根材の前記ケラバ側の端部が、前記下面部及び前記上面部の間に挿入され、
前記リブ部は、前記屋根材の前記ケラバ側端部側に配置された第１リブ部と、該第１リブ部から前記屋根材側に離間して配置された第２リブ部と、を少なくとも有し、
前記第２リブ部は、その上端に前記下面部に平行に延びる屋根材支持面部を有する太陽光発電屋根。
【請求項３】
前記太陽光パネルと前記屋根材は、同一の屋根面に配置されるとともにその傾斜方向に並んで配置され、
前記第１ケラバ化粧材と前記第２ケラバ化粧材は、前記傾斜方向に連続して配置される請求項１又は２に記載の太陽光発電屋根。
【発明の詳細な説明】
【技術分野】
【０００１】
本発明は、太陽光発電屋根に関し、具体的には、太陽光パネル及び屋根材が敷設された屋根における太陽光発電屋根に関する。
【背景技術】
【０００２】
従来、建物の屋根において、日当たりの良好な面に太陽光パネルを設置し、日当たりの悪い面には瓦やスレート等の屋根材を敷設して、太陽光パネルと屋根材を張り分けることが知られている（例えば、特許文献１参照）。また、屋根の棟から軒先へと延びるケラバと呼ばれる妻側の端縁に、ケラバ化粧材を配置して、屋根の美観を向上させることが知られている。
【先行技術文献】
【特許文献】
【０００３】
【特許文献１】特開平１０−３１７６１９号公報
【発明の概要】
【発明が解決しようとする課題】
【０００４】
ところで、太陽光パネルは、通常、縦桟等により構成される架台の上に取り付けられる。この場合、太陽光パネルのケラバ側端部を覆うケラバ化粧材は、縦桟を内部に収容するように適合した形状に構成される。太陽光パネルは、縦桟の上に取り付けられ、ケラバ化粧材と太陽光パネルの間の隙間は、ケラバ化粧材で覆われる。
【０００５】
太陽光パネルと屋根材は、厚さ等の形状が異なる。太陽光パネルを屋根に敷設する場合、ケラバ化粧材は、太陽光パネルのケラバ側の端部を覆うように最適化されたものが用いられる。ここで、屋根の一部に太陽光パネルと屋根材との両方を張り分けようとすると、同じケラバ化粧材では屋根材のケラバ側端部を覆うことができないという問題があった。
【０００６】
即ち、屋根材を取り付ける際、内部に縦桟を収容して、太陽光パネルのケラバ側端部を覆うように最適化されたケラバ化粧材では、屋根材と縦桟の両方をケラバ化粧材の内部に納めることができなかった。また、仮に屋根材の厚さに合わせたケラバ化粧材を設けると、太陽光パネルを覆う部分と屋根材を覆う部分で形状が異なり、美観が損なわれるという問題があった。
【０００７】
本発明は、太陽光発電屋根に太陽光パネル及び屋根材の両方を敷設する場合に、意匠性を向上させた太陽光発電屋根を提供することを目的とする。
【課題を解決するための手段】
【０００８】
上記目的を達成するため本発明は、太陽光パネル（例えば、後述の太陽光パネル２）及び屋根材（例えば、後述のスレート３）が敷設された太陽光発電屋根（例えば、後述の太陽光発電屋根１）であって、屋根面（例えば、後述の屋根面１Ａ、１Ｂ、１Ｃ）の傾斜方向に延びるとともに該屋根面に固定され、前記太陽光パネルを支持する複数の太陽光パネル用縦桟（例えば、後述の太陽光パネル用縦桟２１）と、ケラバ（例えば、後述のケラバ９）に沿って延びるとともに、該ケラバに隣接する前記太陽光パネル用縦桟に固定され、前記太陽光パネルのケラバ側端部を覆う第１ケラバ化粧材（例えば、後述の第１ケラバ化粧材１０Ａ）と、前記屋根面の傾斜方向に延びるとともに該屋根面に固定され、前記屋根材を支持する複数の屋根材用縦桟（例えば、後述の屋根材用縦桟４）と、ケラバに沿って延びるとともに、該ケラバに隣接する前記屋根材用縦桟に固定され、前記屋根材のケラバ側端部を覆う第２ケラバ化粧材（例えば、後述の第２ケラバ化粧材１０Ｂ）と、を備え、前記第１ケラバ化粧材と前記第２ケラバ化粧材は、少なくとも外側側面の形状が同一である太陽光発電屋根を提供する。
【０００９】
また、前記太陽光パネルと前記屋根材は、同一の屋根面に配置されるとともにその傾斜方向に並んで配置され、前記第１ケラバ化粧材と前記第２ケラバ化粧材は、前記傾斜方向に連続して配置されることが好ましい。
【００１０】
また、前記屋根材用縦桟は、前記屋根材のケラバ側端部における下面に配置される下面部（例えば、後述の下面部４１）と、前記屋根材の前記ケラバ側端部の外側に配置され、前記下面部から立ち上がる立上がり部（例えば、後述の立上がり部４２）と、前記立上がり部の上端から屋根材側に延出する上面部（例えば、後述の上面部４３）と、を有することが好ましい。
【００１１】
また、前記屋根材用縦桟は、前記下面部における前記ケラバ側端部から前記屋根材側へ所定距離離間するとともに、前記下面部から立ち上がるリブ部（例えば、後述のリブ部４４）を有することが好ましい。
【００１２】
また、前記リブ部は、前記屋根材の前記ケラバ側端部側に配置された第１リブ部（例えば、後述の第１リブ部４４１）と、該第１リブ部から前記屋根材側に離間して配置された第２リブ部（例えば、後述の第２リブ部４４２）と、を少なくとも有し、
前記第２リブ部は、その上端に前記下面部に平行に延びる屋根材支持面部（例えば、後述の屋根材支持面部４６）を有することが好ましい。
【発明の効果】
【００１３】
本発明によれば、太陽光発電屋根に太陽光パネル及び屋根材の両方を敷設する場合に、意匠性を向上させた太陽光発電屋根を提供することができる。
【図面の簡単な説明】
【００１４】
【図１】本発明の一実施形態に係る太陽光発電屋根１を示す斜視図である。
【図２】図１のＡ−Ａ線の端面の部分拡大図である。
【図３】図１のＢ−Ｂ線の端面の部分拡大図である。
【図４】上記実施形態における第１ケラバ化粧材及び第２ケラバ化粧材を示す図であり、（ａ）図は部分拡大正面図であり、（ｂ）図は部分拡大斜視図である。
【発明を実施するための形態】
【００１５】
以下、本発明の実施形態について、図面を参照しながら詳しく説明する。
図１は、本発明の一実施形態に係る太陽光発電屋根１を示す斜視図である。図１に示すように、建物１０１の太陽光発電屋根１（以下、単に屋根１とも言う）は、棟の両側で下方に傾斜する屋根面１Ａ、１Ｂを有する切妻屋根を構成する。日当たりの良い側の屋根面１Ａの上部側には、太陽光パネル２が敷設されている。日当たりの悪い側の屋根面１Ｂと、屋根面１Ａの下側の面１Ｃには、屋根材としてのスレート３が敷設されている。
【００１６】
図２は、図１のＡ−Ａ線の端面の部分拡大図である。図２では、屋根面１Ａの太陽光パネル２が敷設されたケラバ９側の断面を示している。ケラバ９とは、切妻屋根や片流れ屋根の妻側の端部を言い、本実施形態では、切妻屋根の端部として説明する。図２を参照して、太陽光パネル２が配置された屋根面１Ａの構成について説明する。
屋根１の一方の屋根面１Ａは、下地材５と、太陽光パネル架台２０と、太陽光パネル２と、第１ケラバ化粧材１０Ａと、を備える。
【００１７】
下地材５は、野地板５１と、防水シート５２と、鋼板５３と、を備える。下地材５は、屋根１の土台部分を構成し、後述する太陽光パネル架台２０を固定支持する。
【００１８】
野地板５１は、屋根１の骨組みである垂木の上に張られて配置される。この野地板５１は、屋根１の全面に配置される。野地板５１としては、合板等の板材が用いられる。
【００１９】
防水シート５２は、上述の野地板５１上に配置される。防水シート５２としては、板紙にアスファルトを含浸させたアスファルトルーフィング等の防水材料が用いられる。
【００２０】
鋼板５３は、上述の防水シート５２上に配置される。鋼板５３としては、従来公知の防火鋼板等が用いられる。
【００２１】
太陽光パネル架台２０は、上述の下地材５上に配置される。太陽光パネル架台２０は、ビス止めされることで下地材５に固定される。太陽光パネル架台２０は、太陽光パネル２を下方から支持する。
太陽光パネル架台２０は、格子状に枠組みされた複数の太陽光パネル用縦桟２１及び複数の横桟２２を有する。
【００２２】
太陽光パネル用縦桟２１は、屋根面１Ａの傾斜方向に延びて、棟から軒先に亘って設けられる。太陽光パネル用縦桟２１は、屋根面１Ａの傾斜方向に沿い、傾斜方向に直交する方向に一定間隔を空けて複数配置され、下地材５にビス止めされる。
【００２３】
横桟２２は、屋根面１Ａの傾斜方向に直交する方向に延びて設けられ、太陽光パネル用縦桟２１上にビス止めされる。横桟２２は、隣接する太陽光パネル用縦桟２１同士を、橋渡しするように複数設けられる。
【００２４】
太陽光パネル２は、以上の太陽光パネル架台２０を構成する太陽光パネル用縦桟２１及び横桟２２に取り付けられ、固定支持される。
【００２５】
第１ケラバ化粧材１０Ａは、屋根面１Ａのケラバ９に配置される。第１ケラバ化粧材１０Ａは、屋根面１Ａの傾斜方向に延びて屋根面１Ａのケラバ９をそれぞれ覆い、ケラバ９を保護する部材である。
【００２６】
図２に示すように、第１ケラバ化粧材１０Ａは、第１外側枠材１１と、第１内側枠材１２と、隙間カバー１３と、を有する。
【００２７】
第１外側枠材１１は、ケラバ９に沿って延設され、第１内側枠材１２にビス止めされる。第１外側枠材１１は、上面部１１ａと、内側面部１１ｂと、外側面部１１ｃと、を有する。
上面部１１ａは、第１外側枠材１１の天面側に延びる。
内側面部１１ｂは、上面部１１ａの太陽光パネル２側の端部から下方に垂設される。
外側面部１１ｃは、上面部１１ａのケラバ側端部から下方に垂設置され、下地材５よりも下方に延出する。
【００２８】
第１内側枠材１２は、ケラバ９に沿って延設され、第１外側枠材１１の下方内側に配置される。第１内側枠材１２は、太陽光パネル用縦桟２１にビス止めされて固定される。具体的には、第１内側枠材１２は、取り付け面１２ａと、下地材接触面１２ｂと、中壁部１２ｃと、を有する。
取り付け面１２ａは、下地材５と平行に延びて太陽光パネル用縦桟２１の上面に接触可能な面である。
下地材接触面１２ｂは、下地材５と平行に延びて下地材５に直接接触する面である。
中壁部１２ｃは、取り付け面１２ａ及び下地材接触面１２ｂを接続するとともに、太陽光パネル用縦桟２１の高さ方向に立ち上がる。取り付け面１２ａ及び中壁部１２ｃにより、内部に太陽光パネル用縦桟２１の一部を収容可能な凹部１２５が形成され、太陽光パネル用縦桟２１のケラバ９側の端部が取り付け面１２ａに固定される。
【００２９】
隙間カバー１３は、第１外側枠材１１の上面部１１ａに取り付けられる。隙間カバー１３は、上面部１１ａに沿って下地材５と略平行に延びる板状の部材であり、第１外側枠材１１にビス止めされて固定される。隙間カバー１３は、第１ケラバ化粧材１０Ａと太陽光パネル２との間に形成される隙間を塞ぐ。
【００３０】
次に、図３を参照して、スレート３が敷設された屋根面１Ｂ及び屋根面１Ａの下側の面１Ｃの構成について説明する。
屋根１の日が良く当たる屋根面１Ａの下側の面１Ｃ及び日が当たりにくい屋根面１Ｂは、下地材５と、スレート３と、屋根材用縦桟４と、第２ケラバ化粧材１０Ｂと、垂下部７と、を備える。
【００３１】
下地材５は、野地板５１と、防水シート５２と、を備える。野地板５１及び防水シート５２は、屋根面１Ａの太陽光パネル２の下に配置されるものと同様に構成される。
【００３２】
スレート３は、屋根面１Ｂ及び屋根面１Ａの下側の面１Ｃを覆う板部材であり、複数の板部材を並べて屋根面１Ｂの表側を覆う部材である。スレート３は、波状に曲面を有する場合もあるが、図３では、簡略化して一枚の平面状に示されている。スレート３は、太陽光パネル２が敷設された屋根面１Ａと同一の屋根面１Ａの下側の面１Ｃに配置され、傾斜方向に並んで配置されている。
【００３３】
屋根材用縦桟４は、屋根面１Ｂ及び屋根面１Ａの下側の面１Ｃにおいて、屋根１の棟側から軒側へ上下に延び、ケラバ９に沿って配置される。屋根材用縦桟４は、スレート３を支持する。屋根材用縦桟４は、太陽光パネル２を支持する太陽光パネル用縦桟２１とは形状が異なる。屋根面１Ｂ及び屋根面１Ａの下側の面１Ｃでは、太陽光パネル２を設置しないため、横桟は設けられない。
【００３４】
屋根材用縦桟４は、側面視で略Ｌ字状に形成され、長辺が下地材に接触し、短辺が上方に立ち上がる。短辺の上方端部は、長辺と平行な方向にスレート３側へ延出している。屋根材用縦桟４は、下面部４１と、立上がり部４２と、上面部４３と、リブ部４４と、屋根材支持面部４６と、を備える。
【００３５】
下面部４１は、スレート３のケラバ側端部の下面側に位置し、屋根材用縦桟４におけるＬ字状の長辺部分に相当する。
【００３６】
立上がり部４２は、スレート３のケラバ側端部の外側（ケラバ９側）に位置し、下面部４１のケラバ側の端部４１ａからスレート３の厚さ方向上方へ立ち上がるように垂設される。立上がり部４２は、屋根材用縦桟４におけるＬ字状の短辺部分に相当する。立上がり部４２には、スレート３と立上がり部４２との間の隙間を調節するとともに止水する止水材４２１が配置されていてよい。
【００３７】
上面部４３は、立上がり部４２の上端部から屈曲してスレート３側に延出する。上面部４３は、下面部４１と向かい合っている。
【００３８】
リブ部４４は、第１リブ部４４１と、第２リブ部４４２と、を有する。
第１リブ部４４１は、下面部４１におけるケラバ側の端部４１ａからスレート３側へ所定距離離間した位置に、下面部４１からスレート３の厚さ方向上方へ向かって突出する。第１リブ部４４１は、屋根材用縦桟４の長手方向に沿って延びる。
【００３９】
第２リブ部４４２は、第１リブ部４４１からスレート３側に所定距離離間した位置で、下面部４１からスレート３の厚さ方向上方へ向かって突出する。第２リブ部４４２は、屋根材用縦桟４の長手方向に沿って延びる。
【００４０】
屋根材支持面部４６は、第２リブ部４４２の上端から第１リブ部４４１に向かって屈曲し、下面部４１と平行に延びる。屋根材支持面部４６の上面と、第１リブ部４４１の上端とは、下面部４１からの高さが略同じであり、第１リブ部４４１の上端及び屋根材支持面部４６は、スレート３を支持する。
【００４１】
図４は、第１ケラバ化粧材１０Ａと第２ケラバ化粧材１０Ｂが並んで配置される屋根面１Ａ及び屋根面１Ａの下側を示す図であり、（ａ）図は部分拡大正面図、（ｂ）図は部分拡大斜視図を示す。
第２ケラバ化粧材１０Ｂは、屋根面１Ｂ及び屋根面１Ａの下側の面１Ｃのケラバ９に配置される。第２ケラバ化粧材１０Ｂは、屋根面１Ｂ及び屋根面１Ａの下側の面１Ｃの傾斜方向に延びてケラバ９をそれぞれ覆い、保護する部材である。第２ケラバ化粧材１０Ｂは、太陽光パネル２が設置された屋根面１Ａに設けられる第１ケラバ化粧材１０Ａと、外観が概ね共通する。図４（ａ）及び（ｂ）に示すように、特に、少なくとも第１ケラバ化粧材１０Ａと第２ケラバ化粧材１０Ｂとは、少なくとも外側側面の形状が同一である。
【００４２】
第２ケラバ化粧材１０Ｂは、太陽光パネル２が設置される屋根面１Ａの下側の面１Ｃでは、太陽光パネル２が設置された屋根面１Ａにおいて太陽光パネルを覆う第１ケラバ化粧材１０Ａと傾斜方向に連続して配置される。
【００４３】
図３に戻って、第２ケラバ化粧材１０Ｂは、それぞれ第２外側枠材１１０と、第２内側枠材１２０とを有する。
【００４４】
第２外側枠材１１０は、ケラバ９に沿って延設され、第２内側枠材１２０及び屋根材用縦桟４にビス止めされる。第２外側枠材１１０は、上面部１１０ａと、外側面部１１０ｃと、を有する。
上面部１１０ａは、第２外側枠材１１０の天面を構成する。
外側面部１１０ｃは、上面部１１０ａのケラバ側端部から下方に垂設され、下地材５よりも下方に延出する。
【００４５】
第２内側枠材１２０は、ケラバ９に沿って延設され、第２外側枠材１１０の下方内側に配置される。第２内側枠材１２０は、屋根材用縦桟４にビス止めされて固定される。具体的には、第２内側枠材１２０は、取り付け面１２０ａと、下地材接触面１２０ｂと、中壁部１２０ｃと、内側面部１２０ｄと、を有する。
【００４６】
取り付け面１２０ａは、下地材５と平行に延びて屋根材用縦桟４の上面部４３に接触可能な面である。取り付け面１２０ａは、上面部４３にビス止めされる。なお、取り付け面１２０ａは、スレート３側で上方に屈曲し、第２外側枠材１１０の上面部１１０ａの裏側に接する。
【００４７】
下地材接触面１２０ｂは、下地材５と平行に延びて下地材５に直接接触する面である。下地材接触面１２０ｂは、第２外側枠材１１０の外側面部１１０ｃから、この外側面部１１０ｃに直交して内側へ延びる面１１０ｄと重なり、係合する。
【００４８】
中壁部１２０ｃは、取り付け面１２０ａ及び下地材接触面１２０ｂを接続するとともに、スレート３及び屋根材用縦桟４の高さ方向に立ち上がる。取り付け面１２０ａ及び中壁部１２０ｃにより、内部に屋根材用縦桟４の一部を収容可能な凹部１２６が形成され、屋根材用縦桟４のケラバ側の端部が取り付け面１２０ａに固定される。中壁部１２０ｃは、太陽光パネル２を敷設した屋根面１Ａの第１外側枠材１１における中壁部１２ｃよりも、大きな高さ寸法を有する。第２外側枠材１１０の中壁部１２０ｃは、下地材接触面１２０ｂの上面と取り付け面１２０ａの下面との間の距離が、屋根材用縦桟４の立上がり部４２の高さに対応するような高さ寸法を有する。
【００４９】
内側面部１２０ｄは、取り付け面１２０ａのスレート３側の端部から、下方に向かって垂設される。内側面部１２０ｄの下端部は、下地材接触面１２０ｂよりも上方にあり、第２内側枠材１２０は、取り付け面１２０ａ、中壁部１２０ｃ及び内側面部１２０ｄにより開口した凹部１２６を有するように構成されている。この凹部１２６に、スレート３のケラバ側の端部が挿入される。
【００５０】
垂下部７は、第２外側枠材１１０と別体の部材である。垂下部７は、側面視で略Ｌ字状に形成され、調整部７１と、水返し部７２と、を有する。
調整部７１は、Ｌ字型の長辺部分であり、その上端が内側面部１２０ｄの下端にビス止めして取り付けられる。
水返し部７２は、Ｌ字型の短辺部分であり、調整部７１の下端からスレート３側に向かって延出する。また、水返し部７２は、面材当接部７２１を有する。面材当接部７２１は、調整部７１から遠ざかった遠位端で屈曲し、下方に延出する。
【００５１】
なお、第１ケラバ化粧材１０Ａ及び第２ケラバ化粧材１０Ｂの軒側の端部は、軒カバー１０２により覆われる（図１参照）。軒カバー１０２は、ケラバ９の軒側の端部を覆うことで、意匠性を高めるとともにケラバ９の軒側の端部を保護する。また、屋根１の棟部は、棟部化粧材１０３により覆われる（図１参照）。棟部化粧材１０３は、屋根１の屋根面１Ａ、１Ｂの傾斜方向に直交する方向に延びてその棟部を覆うことで、棟部を保護する。
【００５２】
以下に、本実施形態の太陽光発電屋根１の設置手順について説明する。
太陽光発電屋根１は、屋根面１Ａに太陽光パネル２を設置する際、太陽光パネル用縦桟２１の上に横桟２２が固定され、この横桟２２の上に太陽光パネル２が固定される。
【００５３】
屋根面１Ａのケラバ９には、第１ケラバ化粧材１０Ａが設置される。ケラバ９の外側側面には第１外側枠材１１が設置され、その内側に第１内側枠材１２が設置される。太陽光パネル用縦桟２１のケラバ側の端部は、第１内側枠材１２における取り付け面１２ａ及び中壁部１２ｃにより構成される凹部１２５に挿入され、ビス止めされる。
【００５４】
一方、屋根面１Ｂ又は屋根面１Ａの下側の面１Ｃにスレート３を設置する際には、屋根面１Ｂ又は屋根面１Ａの下側の面１Ｃのケラバ９には、第２ケラバ化粧材１０Ｂが設置される。ケラバ９の外側側面には第２外側枠材１１０が設置され、その内側に第２内側枠材１２０が設置される。第２内側枠材１２０の取り付け面１２０ａ及び中壁部１２０ｃにより構成される凹部１２６に、捨て谷として屋根材用縦桟４が挿入される。詳細には、屋根材用縦桟４の立上がり部４２を、凹部１２６に嵌めこみ、取り付け面１２０ａと上面部４３とをビス止めして固定する。
【００５５】
スレート３の下に配置される屋根材用縦桟４の下面部４１には、第１リブ部４４１及び第２リブ部４４２が形成され、下面部４１から突出するとともに屋根材用縦桟４に沿って延びているので、何らかの状況でスレート３の下に雨水が落ちても、第１リブ部４４１及び第２リブ部４４２の間を通って雨水は軒下へ排水される。
【００５６】
上述の通り、第２内側枠材１２０における中壁部１２０ｃは、太陽光パネル２を設置する屋根面１Ａの第１ケラバ化粧材１０Ａにおける中壁部１２ｃよりも高く形成されているので、スレート３を屋根材用縦桟４の上に載せるように、第２内側枠材１２０と屋根材用縦桟４との間に形成される凹部１２６の開口に、スレート３を挿入できる。挿入したスレート３の下面を、屋根材用縦桟４の第１リブ部４４１及び屋根材支持面部４６に支持させて、スレート３を屋根に敷設する。
【００５７】
屋根面１Ａ、１Ｂ及び屋根面１Ａの下側の面１Ｃで構成が変わっても、第１ケラバ化粧材１０Ａ及び第２ケラバ化粧材１０Ｂのケラバ９外側に配置される第１外側枠材１１、第２外側枠材１１０は、その高さが略同一であり、外側側面の外観が同一である。
【００５８】
スレート３を敷設した状態では、スレート３の厚さによっては、スレート３の上面と、第２内側枠材１２０の内側面部１２０ｄの下端との間に隙間があく。図３に示すように、スレート３が薄ければ、隙間は大きくなる。そこで、隙間の大きさに合わせながら、垂下部７を面戸として内側面部１２０ｄのケラバ９側とは反対側の面にビス止めする。垂下部７は、スレート３の上面に接近又は離間する方向に調整可能である。この際、垂下部７の水返し部７２における面材当接部７２１が、スレート３に当接ように調整されてビス止めされる。
【００５９】
本実施形態によれば、以下の効果が奏される。
本実施形態では、太陽光パネル２及びスレート３が敷設された太陽光発電屋根１に、屋根面１Ａの傾斜方向に延びるとともに屋根面１Ａに固定され、太陽光パネル２を支持する複数の太陽光パネル用縦桟２１と、ケラバ９に沿って延びるとともに、ケラバ９に隣接する太陽光パネル用縦桟２１に固定され、太陽光パネル２のケラバ側端部を覆う第１ケラバ化粧材１０Ａと、屋根面１Ｂ、１Ｃの傾斜方向に延びるとともに屋根面１Ｂ、１Ｃに固定され、スレート３を支持する複数の屋根材用縦桟４と、ケラバ９に沿って延びるとともに、ケラバ９に隣接する屋根材用縦桟４に固定され、スレート３のケラバ側端部を覆う第２ケラバ化粧材１０Ｂと、を含んで構成した。第１ケラバ化粧材１０Ａと第２ケラバ化粧材１０Ｂは、少なくとも外側側面の形状を同一とした。
【００６０】
本実施形態によれば、太陽光パネル２及びスレート３が敷設された太陽光発電屋根１において、太陽光パネル２とスレート３の厚さが異なっていても、太陽光パネル２を覆う第１ケラバ化粧材１０Ａとスレート３を覆う第２ケラバ化粧材１０Ｂの少なくとも外側側面の形状が同一なので、屋根１を外側から見た場合に、ケラバ９の外観に統一感があり、意匠性が向上する。また、スレート３２を支持する屋根材用縦桟４を、太陽光パネル２を支持する太陽光パネル用縦桟２１とは別に設けたことで、スレート３をスムーズに第２ケラバ化粧材１０Ｂの内側に固定することが可能となり、スレート３を屋根のケラバ９に取り付ける際の施工性が向上する。
【００６１】
本実施形態によれば、太陽光パネル２とスレート３を、同一の屋根面１Ａに配置させるとともにその傾斜方向に並んで配置させ、第１ケラバ化粧材１０と第２ケラバ化粧材１０Ｂを、傾斜方向に連続して配置させた。これにより、同一の屋根面１Ａに太陽光パネル２とスレート３を並べて配置するように張り分けた場合に、少なくとも外観側面の形状が同一の第１ケラバ化粧材１０と第２ケラバ化粧材１０Ｂとが連続するので、第１ケラバ化粧材１０Ａ、第２ケラバ化粧材１０Ｂを屋根１の棟側から軒側まで通しで配置されるように見える。よって屋根１の外観の統一感が高まり、意匠性が向上する。
【００６２】
本実施形態によれば、屋根材用縦桟４を、スレート３のケラバ側端部における下面に配置される下面部４１と、スレート３のケラバ側端部の外側に配置され、下面部４１から立ち上がる立上がり部４２と、立上がり部４２の上端からスレート３側に延出する上面部４３と、を含んで構成した。これにより、上面部４３が立上がり部４２によりかさ上げされ、下面部４１と上面部４３との間の立上がり部４２で離間させた凹部１２６にスレート３を挿入することができる。スレート３を凹部１２６に挿入することで、第２ケラバ化粧材１０Ｂで覆うことができるため、スレート３の交換が容易にでき、施工性が向上する。
【００６３】
本実施形態によれば、屋根材用縦桟４を、下面部４１におけるケラバ側の端部４１ａからスレート３側へ所定距離離間するとともに、下面部４１から立ち上がるリブ部４４を含んで構成した。これにより、スレート３の下側に配置される下面部４１に、上方へ立ち上がるリブ部が形成されているので、万が一、スレート３の下方に雨水が流れたとしても、リブ部４４が水返し機能を発揮し、雨水がケラバ側やスレート３の内側へ流れることを防止することができ、屋根材用縦桟４に落ちた雨水を軒側まで排水することができる。
【００６４】
本実施形態によれば、リブ部を、スレート３のケラバ側端部側に配置された第１リブ部４４１と、第１リブ部４４１からスレート３側に離間して配置された第２リブ部４４２と、を少なくとも含んで構成した。また、第２リブ部４４２を、その上端に下面部４１に平行に延びる屋根材支持面部４６を有して構成した。これにより、屋根材支持面部４６が点ではなく面でスレート３を支持することができるので、スレート３に何らかの力が加わった場合に、割れることを防止することができる。
【００６５】
なお、本発明は上記実施形態に限定されるものではなく、本発明の目的を達成できる範囲での変形、改良等は本発明に含まれる。
例えば、上記実施形態では、太陽光発電屋根１を切妻屋根として説明したが、これに限られない。屋根１は、片流れの屋根でもよい。
【００６６】
また、上記実施形態では、屋根面１Ａ側に太陽光パネル２とスレート３が張り分けられているが、これに限られない。切妻屋根の一方の全面に太陽光パネルが敷設され、他方の全面に屋根材が配置された場合も、本発明の範囲内である。また、屋根面が広い場合などに、屋根面１Ａ側及び屋根面１Ｂ側で太陽光パネルと屋根材を張り分けてもよい。
【００６７】
また、上記実施形態では、屋根材としてスレート３を例に説明しているが、これに限られない。屋根材としては、下地材の上に敷設されて屋根の表面を構成する部材であれば、瓦や金属板等であってもよく、特に限定されない。
【符号の説明】
【００６８】
１    太陽光発電屋根
１Ａ，１Ｂ，１Ｃ  屋根面
２    太陽光パネル
３    スレート（屋根材）
４    屋根材用縦桟
９    ケラバ
１０Ａ  第１ケラバ化粧材
１０Ｂ  第２ケラバ化粧材
２１  太陽光パネル用縦桟
４１  下面部
４２  立上がり部
４３  上面部
４４  リブ部
４４１  第１リブ部
４４２  第２リブ部
４６  屋根材支持面部
【図１】
0006804194.tif 000002
【図２】
0006804194.tif 000003
【図３】
0006804194.tif 000004
【図４】
0006804194.tif 000005